(57)【要約】【課題】従来の情報配信システムでは、ユーザが通信可能範囲を通った場合、すべてのエリアの情報を出力してしまい、ユーザにとって煩わしかった。【解決手段】情報配信装置は、エリア情報を近距離無線通信手段により送信し、近距離無線通信装置は、情報を出力するか否かを判断するための条件である条件情報を格納しており、情報配信装置から、エリア情報を近距離無線通信手段により受信し、当該エリア情報または／およびエリア情報を受信した旨を示す情報を、条件情報に基づいて出力するか否かを判断し、出力すると判断した場合に、エリア情報または／およびエリア情報を受信した旨を示す情報を携帯端末に渡し、携帯端末は、近距離無線通信装置から情報を受け付けた情報を出力する情報処理システムであり、かかる構成により、予め登録された条件に合うエリアの情報のみを出力できる。【選択図】図２
2005268842.tif 000002
【特許請求の範囲】
【請求項１】
近距離無線通信手段により情報を配信する情報配信装置と、携帯端末と当該携帯端末に接続する近距離無線通信装置を具備する通信装置とを具備する情報処理システムであって、
前記情報配信装置は、
エリア情報を格納しているエリア情報格納部と、
前記エリア情報を近距離無線通信手段により送信する情報送信部を具備し、
前記近距離無線通信装置は、
情報を出力するか否かを判断するための条件である条件情報を格納している条件情報格納部と、
前記情報配信装置から、エリアに関する情報であるエリア情報を近距離無線通信手段により受信する情報受信部と、
前記情報受信部が受信したエリア情報または／およびエリア情報を受信した旨を示す情報を、前記条件情報に基づいて出力するか否かを判断する判断部と、
前記判断部が出力すると判断した場合に、前記エリア情報または／および前記エリア情報を受信した旨を示す情報を前記携帯端末に渡す情報送付部を具備し、
前記携帯端末は、
前記近距離無線通信装置から前記エリア情報または／および前記エリア情報を受信した旨を示す情報を受け付ける情報受付部と、
前記エリア情報または／および前記エリア情報を受信した旨を示す情報を出力する情報出力部を具備する情報処理システム。
【請求項２】
前記情報配信装置は、
前記携帯端末で出力される情報である付加情報を格納している付加情報格納部をさらに具備し、
前記情報送信部は、前記エリア情報と前記付加情報を近距離無線通信手段により送信し、
前記近距離無線通信装置の情報受信部は、前記情報配信装置から、前記エリア情報と前記付加情報を近距離無線通信手段により受信し、
前記携帯端末の前記情報受付部は、
前記近距離無線通信装置から前記エリア情報と前記付加情報を受け付け、
前記情報出力部は、前記エリア情報と前記付加情報を出力する請求項１記載の情報処理システム。
【請求項３】
前記携帯端末は、
付加情報の出力指示を受け付ける指示受付部をさらに具備し、
前記指示受付部が付加情報の出力指示を受け付けた場合に、前記情報出力部は、付加情報をも出力する請求項２記載の情報処理システム。
【請求項４】
前記通信装置の所定のエリアへの通過または滞在回数により、前記携帯端末が出力する情報が異なる請求項１から請求項５いずれか記載の情報処理システム。
【請求項５】
前記情報処理システムは、サーバ装置をさらに具備し、
前記携帯端末は、
詳細情報の出力指示をさらに受け付け、
前記詳細情報の出力指示を前記サーバ装置に送信する指示送信部と、
前記指示送信部における詳細情報の出力指示の送信に対応して、前記サーバ装置から詳細情報を受信する詳細情報受信部と、
前記詳細情報受信部が受信した詳細情報を出力する詳細情報出力部をさらに具備し、
前記サーバ装置は、
１以上の詳細情報を格納している詳細情報格納部と、
前記携帯端末から前記出力指示を受信する指示受信部と、
前記指示受信部が携帯端末から前記詳細情報の出力指示を受信した場合に、前記詳細情報を送信する詳細情報送信部を具備する
請求項１から請求項３いずれか記載の情報処理システム。
【請求項６】
前記携帯端末は、
前記詳細情報の出力をしない旨の情報である出力不要指示をも受け付け、
前記指示送信部は、前記出力不要指示と携帯端末を識別する端末識別子を有する否出力情報をも前記サーバ装置に送信し、
前記サーバ装置の指示受信部は、前記否出力情報をも受信し、
前記サーバ装置は、
前記指示受信部が受信した前記否出力情報を蓄積する情報蓄積部をさらに具備する請求項５記載の情報処理システム。
【請求項７】
前記サーバ装置は、
前記携帯端末から端末識別子を受信し、当該端末識別子を受信した回数に基づいて、前記携帯端末に対する処理が異なる請求項５または請求項６いずれか記載の情報処理システム。
【請求項８】
前記通信装置の所定のエリアへの通過または滞在回数により、前記携帯端末が出力する情報が異なる請求項５から請求項７いずれか記載の情報処理システム。
【請求項９】
前記サーバ装置は、
前記携帯端末から端末識別子をはじめて受信した場合のみ、前記詳細情報送信部は、前記詳細情報を送信する請求項７または請求項８いずれか記載の情報処理システム。
【請求項１０】
前記サーバ装置は、
前記携帯端末から端末識別子をはじめて受信する場合と２度目以上の受信の場合で、前記詳細情報送信部は、送信する情報が異なる請求項７または請求項８いずれか記載の情報処理システム。
【請求項１１】
前記詳細情報送信部は、前記携帯端末から３度目以上、端末識別子を受信した場合、前記詳細情報を送信しない請求項１０記載の情報処理システム。
【請求項１２】
前記サーバ装置は、
前記携帯端末から端末識別子を受信した回数を、日毎に算出する請求項７から請求項１１いずれか記載の情報処理システム。
【請求項１３】
前記情報配信装置の情報送信部は、
前記サーバ装置にアクセスするための情報であるサーバ識別子をも送信し、
前記近距離無線通信装置の情報受信部は、前記サーバ識別子をも受信し、
前記近距離無線通信装置の情報送付部は、前記サーバ識別子をも前記携帯端末に送付し、
前記携帯端末の情報受付部は、
前記前記近距離無線通信装置から前記サーバ識別子をも受け付け、
前記携帯端末は、前記サーバ識別子を用いてサーバ装置にアクセスする請求項５から請求項１２いずれか記載の情報処理システム。
【請求項１４】
前記情報処理システムは、サーバ装置をさらに具備し、
前記サーバ装置は、
１以上の詳細情報を格納している詳細情報格納部と、
前記携帯端末からの指示により、前記詳細情報を送信する詳細情報送信部を具備し、
前記情報配信装置は、
前記携帯端末で出力される情報である詳細情報を取得するアプリケーションを格納しているアプリ格納部をさらに具備し、
前記情報送信部は、前記エリア情報と前記アプリケーションを近距離無線通信手段により送信し、
前記近距離無線通信装置の情報受信部は、前記情報配信装置から、前記エリア情報と前記アプリケーションを近距離無線通信手段により受信し、
前記携帯端末の前記情報受付部は、
前記近距離無線通信装置から前記エリア情報と前記アプリケーションを受け付け、
詳細情報の出力指示を受け付ける指示受付部をさらに具備し、
前記指示受付部が詳細情報の出力指示を受け付けた場合に、前記アプリケーションにより、前記サーバ装置に詳細情報の送信を指示し、前記サーバ装置から詳細情報を受信する詳細情報受信部と、
前記付加情報受信部が受信した付加情報を出力する詳細情報出力部をさらに具備する
請求項１記載の情報処理システム。
【請求項１５】
前記通信装置の所定のエリアへの通過回数により、前記携帯端末が出力する情報が異なる請求項１４記載の情報処理システム。
【請求項１６】
前記サーバ装置は、
前記携帯端末から端末識別子をはじめて受信した場合のみ、前記詳細情報送信部は、前記詳細情報を送信する請求項１４記載の情報処理システム。
【請求項１７】
前記サーバ装置は、
前記携帯端末から端末識別子をはじめて受信する場合と２度目以上の受信の場合で、前記詳細情報送信部は、送信する情報が異なる請求項１４記載の情報処理システム。
【請求項１８】
前記詳細情報送信部は、前記携帯端末から３度目以上、端末識別子を受信した場合、前記詳細情報を送信しない請求項１７記載の情報処理システム。
【請求項１９】
近距離無線通信手段により情報を配信する情報配信装置と、通信装置を具備する情報処理システムであって、
前記情報配信装置は、
エリアに関する情報であるエリア情報を格納しているエリア情報格納部と、
前記エリア情報を近距離無線通信手段により送信する情報送信部を具備し、
前記通信装置は、
情報を出力するか否かを判断するための条件である条件情報を格納している条件情報格納部と、
前記情報配信装置からエリア情報を近距離無線通信手段により受信する情報受信部と、
前記情報受信部が受信したエリア情報または／およびエリア情報を受信した旨を示す情報を、前記条件情報に基づいて出力するか否かを判断する判断部と、
前記判断部が出力すると判断した場合に、前記エリア情報または／およびエリア情報を受信した旨を示す情報を出力する情報出力部を具備する情報処理システム。
【請求項２０】
近距離無線通信手段により情報を配信する情報配信装置と通信装置とサーバ装置を具備する情報処理システムであって、
前記情報配信装置は、
エリア情報を格納しているエリア情報格納部と、
前記エリア情報を近距離無線通信手段により送信する情報送信部を具備し、
前記通信装置は、
情報を出力するか否かを判断するための条件である条件情報を格納している条件情報格納部と、
前記情報配信装置から、エリアに関する情報であるエリア情報を近距離無線通信手段により受信する情報受信部と、
前記情報受信部が受信したエリア情報または／およびエリア情報を受信した旨を示す情報を、前記条件情報に基づいて出力するか否かを判断する判断部と、
前記判断部が出力すると判断した場合に、前記エリア情報または／および前記エリア情報を出力する情報出力部と、
詳細情報の出力指示を受け付ける指示受付部と、
前記詳細情報の出力指示を前記サーバ装置に送信する指示送信部と、
前記指示送信部における詳細情報の出力指示の送信に対応して、前記サーバ装置から詳細情報を受信する詳細情報受信部と、
前記詳細情報受信部が受信した詳細情報を出力する詳細情報出力部を具備し、
前記サーバ装置は、
１以上の詳細情報を格納している詳細情報格納部と、
前記携帯端末から前記出力指示を受信する指示受信部と、
前記指示受信部が携帯端末から前記詳細情報の出力指示を受信した場合に、前記詳細情報を送信する詳細情報送信部を具備する情報処理システム。
【請求項２１】
近距離無線通信手段により情報を配信する情報配信装置と通信装置とサーバ装置を具備する情報処理システムであって、
前記情報配信装置は、
前記携帯端末で出力される情報である詳細情報を取得するアプリケーションを格納しているアプリ格納部と、
エリア情報を格納しているエリア情報格納部と、
前記エリア情報と前記アプリケーショを近距離無線通信手段により送信する情報送信部を具備し、
前記通信装置は、
情報を出力するか否かを判断するための条件である条件情報を格納している条件情報格納部と、
前記情報配信装置から、前記エリア情報と前記アプリケーションを近距離無線通信手段により受信する情報受信部と、
前記情報受信部が受信したエリア情報または／およびエリア情報を受信した旨を示す情報を、前記条件情報に基づいて出力するか否かを判断する判断部と、
前記判断部が出力すると判断した場合に、前記エリア情報または／およびエリア情報を受信した旨を示す情報を出力する情報出力部と、
前記判断部が出力すると判断した場合に、詳細情報の出力指示を受け付ける指示受付部と、
前記アプリケーションにより、前記サーバ装置に詳細情報の送信の指示をし、前記サーバ装置から詳細情報を受信する詳細情報受信部と、
前記付加情報受信部が受信した付加情報を出力する詳細情報出力部を具備し、
前記サーバ装置は、
１以上の詳細情報を格納している詳細情報格納部と、
前記携帯端末からの指示により、前記詳細情報を送信する詳細情報送信部を具備する情報処理システム。
【請求項２２】
請求項１から請求項２１いずれか記載の情報処理システムを構成する通信装置。
【請求項２３】
請求項１から請求項２１いずれか記載の情報処理システムを構成する情報配信装置。
【請求項２４】
請求項５から請求項１８、請求項２０から請求項２１いずれか記載の情報処理システムを構成するサーバ装置。
【請求項２５】
請求項１から請求項１７いずれか記載の情報処理システムを構成する携帯端末。
【請求項２６】
請求項１から請求項１７いずれか記載の情報処理システムを構成する近距離無線通信装置。
【請求項２７】
コンピュータに、
エリア情報または／および付加情報を受信する情報受信ステップと、
前記情報受信ステップで受信したエリア情報または／およびエリア情報を受信した旨を示す情報または／および付加情報を、格納している条件情報に基づいて出力するか否かを判断する判断ステップと、
前記判断ステップで出力すると判断した場合に、前記エリア情報または／および前記エリア情報を受信した旨を示す情報または／および付加情報を携帯端末に渡す情報送付ステップを実行させるためのプログラム。
【請求項２８】
コンピュータに、
エリアに関する情報であるエリア情報または／および付加情報を受信する情報受信ステップと、
前記情報受信ステップで受信したエリア情報または／およびエリア情報を受信した旨を示す情報または／および付加情報を、格納している条件情報に基づいて出力するか否かを判断する判断ステップと、
前記判断ステップで出力すると判断した場合に、前記エリア情報または／および前記エリア情報を受信した旨を示す情報または／および付加情報を出力する情報出力ステップを実行させるためのプログラム
【請求項２９】
コンピュータに、
情報配信装置から、エリアに関する情報であるエリア情報を近距離無線通信手段により受信する情報受信ステップと、
前記情報受信ステップで受信したエリア情報または／およびエリア情報を受信した旨を示す情報を、格納している条件情報に基づいて出力するか否かを判断する判断ステップと、
前記判断ステップで出力すると判断した場合に、前記エリア情報または／および前記エリア情報を出力する情報出力ステップと、
詳細情報の出力指示を受け付ける指示受付ステップと、
前記詳細情報の出力指示を前記サーバ装置に送信する指示送信ステップと、
前記指示送信ステップにおける詳細情報の出力指示の送信に対応して、サーバ装置から詳細情報を受信する詳細情報受信ステップと、
前記詳細情報受信ステップで受信した詳細情報を出力する詳細情報出力ステップを実行させるためのプログラム。
【請求項３０】
コンピュータに、
情報配信装置から、エリア情報とアプリケーションを近距離無線通信手段により受信する情報受信ステップと、
前記情報受信ステップで受信したエリア情報または／およびエリア情報を受信した旨を示す情報を、格納している条件情報に基づいて出力するか否かを判断する判断ステップと、
前記判断ステップで出力すると判断した場合に、前記エリア情報または／およびエリア情報を受信した旨を示す情報を出力する情報出力ステップと、
前記判断ステップで出力すると判断した場合に、詳細情報の出力指示を受け付ける指示受付ステップと、
前記指示受付ステップで出力指示を受け付けた場合、前記アプリケーションにより、サーバ装置に詳細情報の送信の指示をし、サーバ装置から詳細情報を受信する詳細情報受信ステップと、
前記付加情報受信ステップで受信した付加情報を出力する詳細情報出力ステップを実行させるためのプログラム。
【発明の詳細な説明】
【技術分野】
【０００１】
本発明は、情報を受信して出力する通信装置等に関するものであり、特に、近距離無線通信手段を利用した通信装置等に関するものである。
【背景技術】
【０００２】
従来の近距離無線通信を用いた携帯端末への情報配信システムおよびその方法として、特許文献１における情報配信システム等がある。本システムは、携帯端末と無線通信を行う近距離無線通信手段と、近距離内の携帯端末に配信する情報の登録および検索手段と、近距離内の広告または音声情報の登録のための登録データ獲得手段と、獲得された情報を記憶する登録データ記憶手段を含み近距離内に固定された登録装置と、常時携帯が可能であり、あらかじめ格納される通信に必要なプログラムと、音声またはキー入力により取得要求する情報名を指定する情報入出力手段と、近距離内で無線通信を行う近距離無線通信手段と、プログラムの実行により得られた情報を記憶する情報記憶手段を含む携帯端末と、携帯端末をサービスエリアとする基地局と、基地局と接続されるサーバを含むインターネットとを有するシステムであり、その場所でしか得られない情報を登録装置等に登録して携帯端末に近距離無線通信システムを使用して情報を取り込みメモ帳代わりとすることができる。
【特許文献１】特開２００２−３１２６７６号公報（第１頁、第１図等）
【発明の開示】
【発明が解決しようとする課題】
【０００３】
しかしながら、従来の情報配信システムでは、ユーザが通信可能範囲を通った場合、すべての情報を出力してしまい、ユーザにとって煩わしかった。
また、ユーザが何度も通信可能範囲を通った場合、重複して同じ情報を出力してしまい、ユーザにとって煩わしかった。
【課題を解決するための手段】
【０００４】
本第一の発明の情報処理システムは、携帯端末と当該携帯端末に接続する近距離無線通信装置を具備する通信装置と、近距離無線通信手段により情報を配信する情報配信装置を具備する情報処理システムであって、前記携帯端末は、前記近距離無線通信装置から情報を受け付ける情報受付部と、前記情報を出力する情報出力部を具備し、前記近距離無線通信装置は、情報を出力するか否かを判断するための条件である条件情報を格納している条件情報格納部と、前記情報配信装置から、エリアに関する情報であるエリア情報を近距離無線通信手段により受信する情報受信部と、前記情報受信部が受信したエリア情報または／およびエリア情報を受信した旨を示す情報を、前記条件情報に基づいて出力するか否かを判断する判断部と、前記判断部が出力すると判断した場合に、前記エリア情報または／および前記エリア情報を受信した旨を示す情報を前記携帯端末に渡す情報送付部を具備し、前記情報配信装置は、エリア情報を格納しているエリア情報格納部と、前記エリア情報を近距離無線通信手段により送信する情報送信部を具備する情報処理システムである。
【０００５】
また、前記情報配信装置は、前記携帯端末で出力される情報である付加情報を格納している付加情報格納部をさらに具備し、前記情報送信部は、前記エリア情報と付加情報を近距離無線通信手段により送信し、前記近距離無線通信装置の情報受信部は、前記情報配信装置から、エリア情報と付加情報を近距離無線通信手段により受信し、前記携帯端末の前記情報受付部は、前記近距離無線通信装置から前記エリア情報と前記付加情報を受け付け、前記情報出力部は、前記エリア情報と前記付加情報を出力しても良い。
【０００６】
かかる構成により、予め登録された条件に合うエリアの情報を出力できる。例えば、ユーザは旅行の前に、予めガイドブックで、自分の好きなエリアを登録しておき、当該エリアにやってきた場合に、ユーザは簡単に登録エリアに到着したことを知り、かつ、関連する情報を取得できる。
本第二の発明の情報処理システムは、第一の発明にかかる情報処理システムに対して、通信装置の所定のエリアへの通過または滞在回数により、前記携帯端末が出力する情報が異なるものである。通過または滞在回数とは、通過または滞在、またはそれに準ずることを行った回数である。
かかる構成により、ユーザが何度も通信可能範囲（所定のエリアの範囲）を通った場合、重複して同じ情報を出力してしまったり、何度も同じ登録エリアに到着したことをしらされたりする煩わしさが解消される。
【０００７】
本第三の発明の情報処理システムは、第一の発明にかかる情報処理システムに対して、サーバ装置をさらに具備し、前記携帯端末は、詳細情報の出力指示をさらに受け付け、前記詳細情報の出力指示を前記サーバ装置に送信する指示送信部と、前記指示送信部における詳細情報の出力指示の送信に対応して、前記サーバ装置から詳細情報を受信する詳細情報受信部と、前記詳細情報受信部が受信した詳細情報を出力する詳細情報出力部をさらに具備し、前記サーバ装置は、１以上の詳細情報を格納している詳細情報格納部と、前記携帯端末から前記出力指示を受信する指示受信部と、前記指示受信部が携帯端末から前記詳細情報の出力指示を受信した場合に、前記詳細情報格納部の詳細情報を送信する詳細情報送信部を具備する情報処理システムである。
かかる情報処理システムは、ユーザが気に入っているエリアのみに関する詳細な情報をサーバ装置から取得できる。
【０００８】
本第二の発明の情報処理システムは、第三の発明にかかる情報処理システムに対して、通信装置の所定のエリアへの通過（または滞在）回数により、前記携帯端末が出力する情報が異なるなど、通過（または滞在）回数により、携帯端末で現れる現象が異なるものである。現れる現象が異なる、とは、出力される情報が異なったり、情報を出力したし、しなかったりすること等である。
【０００９】
本第四の発明の情報処理システムは、第一の発明にかかる情報処理システムに対して、前記情報処理システムは、サーバ装置をさらに具備し、前記サーバ装置は、１以上の詳細情報を格納している詳細情報格納部と、前記携帯端末からの指示により、前記詳細情報格納部の詳細情報を送信する詳細情報送信部を具備し、前記情報配信装置は、前記携帯端末で出力される情報である詳細情報を取得するアプリケーションを格納しているアプリ格納部をさらに具備し、前記情報送信部は、前記エリア情報と前記アプリケーションを近距離無線通信手段により送信し、前記近距離無線通信装置の情報受信部は、前記情報配信装置から、前記エリア情報と前記アプリケーションを近距離無線通信手段により受信し、前記携帯端末の前記情報受付部は、前記近距離無線通信装置から前記エリア情報と前記アプリケーションを受け付け、詳細情報の出力指示を受け付ける指示受付部をさらに具備し、前記指示受付部が詳細情報の出力指示を受け付けた場合に、前記アプリケーションにより、前記サーバ装置に詳細情報の送信の指示をし、前記サーバ装置から詳細情報を受信する詳細情報受信部と、前記付加情報受信部が受信した付加情報を出力する詳細情報出力部をさらに具備する情報処理システムである。
【００１０】
かかる情報処理システムにおいて、サーバ装置からエリアに関する詳細情報を取得するアプリケーションを、携帯端末は情報配信装置から得ることができ、携帯端末は予め情報を取得するアプリケーションをインストールしておく必要がなく、かつ、情報配信装置の業者側で、情報の配信をコントロールできる。
【発明の効果】
【００１１】
本発明は、ユーザがあるエリアを通過、または滞在した場合、携帯端末は、登録されている情報に関連するエリアに関してのみ反応し、ユーザにとって煩わしさが解消される。
【発明を実施するための最良の形態】
【００１２】
以下、情報処理システム等の実施形態について図面を参照して説明する。なお、実施の形態において同じ符号を付した構成要素は同様の動作を行うので、再度の説明を省略する場合がある。
（実施の形態１）
【００１３】
図１は、本実施の形態における情報処理システムの概念図である。本情報処理システムは、情報配信装置１１、通信装置１２を具備する。情報配信装置１１は、1以上の地点に設置されている装置である。また、情報配信装置１１は、近距離無線通信手段により情報を通信装置１２に送信する装置である。通信装置１２は、携帯端末１２１、近距離無線通信装置１２２を具備する。近距離無線通信装置１２２は、携帯端末１２１に接続される。つまり、近距離無線通信装置１２２は、携帯端末１２１から着脱可能である。近距離無線通信装置１２２が携帯端末１２１に接続される態様は、例えば、コネクタにより接続される、ケーブルにより接続される等である。近距離無線通信装置１２２が携帯端末１２１に接続される態様は、問わない。
図２は、本実施の形態における情報処理システムのブロック図である。情報処理システムは、情報配信装置１１、通信装置１２を具備し、通信装置１２は、携帯端末１２１、近距離無線通信装置１２２を具備する。
情報配信装置１１は、エリア情報格納部１１０１、付加情報格納部１１０２、情報送信部１１０３を具備する。
携帯端末１２１は、指示受付部１２１０１、情報受付部１２１０２、情報出力部１２１０３を具備する。
近距離無線通信装置１２２は、条件情報格納部１２２０１、情報受信部１２２０２、判断部１２２０３、情報送付部１２２０４を具備する。
【００１４】
エリア情報格納部１１０１は、エリアに関する情報であるエリア情報を格納している。エリア情報とは、情報配信装置１１が存在する領域を示す情報である。エリア情報の構造は問わない。エリア情報格納部１１０１は、不揮発性の記録媒体が好適であるが、揮発性の記録媒体でも実現可能である。
【００１５】
付加情報格納部１１０２は、携帯端末で出力される情報である付加情報を格納している。付加情報とは、例えば、情報配信装置１１が存在する領域に関して説明するガイダンスの情報である。ただし、付加情報の内容は問わない。また、付加情報の形式は、テキストや画像情報など問わない。さらに、付加情報の構造も問わない。付加情報格納部１１０２は、不揮発性の記録媒体が好適であるが、揮発性の記録媒体でも実現可能である。なお、エリア情報格納部１１０１と付加情報格納部１１０２は、通常、一の記録媒体で実現される。
【００１６】
情報送信部１１０３は、エリア情報格納部１１０１のエリア情報と付加情報格納部１１０２の付加情報を近距離無線通信手段により送信する。情報送信部１１０３がエリア情報と付加情報を送信するタイミングは問わない。例えば、情報送信部１１０３は、定期的に繰り返し情報を送信する。また、例えば、情報送信部１１０３は、通信装置１２の指示により情報を送信しても良い。情報送信部１１０３は、ブルートゥース（登録商標）などの近距離無線通信手段や無線タグなどで実現され得る。
【００１７】
指示受付部１２１０１は、付加情報の出力指示を受け付ける。出力指示は、例えば、携帯端末１２１のテンキーから入力される。なお、出力指示の入力手段は、キーボードやマウスやメニュー画面によるもの等、何でも良い。指示受付部１２１０１は、テンキーやキーボード等の入力手段のデバイスドライバーや、メニュー画面の制御ソフトウェア等で実現され得る。
【００１８】
情報受付部１２１０２は、近距離無線通信装置１２２から情報を受け付ける。受け付ける情報は、付加情報または／およびエリア情報または／およびエリア情報である旨を示す情報などである。情報受付部１２１０２は、例えば、バスを経由して情報を受け付ける。
【００１９】
情報出力部１２１０３は、情報受付部１２１０２が受け付けた情報を出力する。出力とは、ディスプレイへの表示、プリンタへの印字、音出力、外部の装置への送信、バイブレーション等を含む概念である。つまり、携帯端末１２１は、領域に関するガイダンスなどをディスプレイに表示しても良いし、音声で出力しても良いし、バイブレーションによりユーザに知らせても良い。情報出力部１２１０３は、ディスプレイやスピーカー等の出力デバイスを含むと考えても含まないと考えても良い。情報出力部１２１０３は、出力デバイスのドライバーソフトまたは、出力デバイスのドライバーソフトと出力デバイス等で実現され得る。
【００２０】
条件情報格納部１２２０１は、情報を出力するか否かを判断するための条件である条件情報を格納している。条件情報とは、例えば、ユーザの趣味、趣向を示す情報や、電子化されたガイドブックが有するエリアに関する情報であるエリア情報である。なお、携帯端末１２１は、電子化されたガイドブックを保持していても良い。条件情報格納部１２２０１は、不揮発性の記録媒体が好適であるが、揮発性の記録媒体でも実現可能である。
【００２１】
情報受信部１２２０２は、情報配信装置１１からエリア情報と付加情報を近距離無線通信手段により受信する。情報受信部１２２０２は、ブルートゥースなどの近距離無線通信手段や無線タグリーダーなどで実現され得る。
【００２２】
判断部１２２０３は、情報受信部１２２０２が受信したエリア情報または／およびエリア情報を受信した旨を示す情報を、条件情報格納部１２２０１の条件情報に基づいて出力するか否かを判断する。例えば、判断部１２２０３は、情報受信部１２２０２が受信したエリア情報が、条件情報格納部１２２０１に格納されているエリア情報（かかる場合、エリア情報は条件情報である。）と合致するか否かを判断する。判断部１２２０３は、通常、ＭＰＵやメモリ等から実現され得る。判断部１２２０３の処理手順は、通常、ソフトウェアで実現され、当該ソフトウェアはＲＯＭ等の記録媒体に記録されている。但し、ハードウェア（専用回路）で実現しても良い。
【００２３】
情報送付部１２２０４は、判断部１２２０３が出力すると判断した場合に、エリア情報または／およびエリア情報を受信した旨を示す情報または／および付加情報を携帯端末１２１に渡す。情報送付部１２２０４は、例えば、バスを経由して情報を渡す。情報送付部１２２０４は、通常、ＭＰＵやメモリ等から実現され得る。情報送付部１２２０４の処理手順は、通常、ソフトウェアで実現され、当該ソフトウェアはＲＯＭ等の記録媒体に記録されている。但し、ハードウェア（専用回路）で実現しても良い。
【００２４】
以下、本情報処理システムの動作について説明する。まず、情報配信装置１１の動作について説明する。
情報配信装置１１の情報送信部１１０３は、常時、エリア情報と付加情報を外部に送信し続ける。
次に、近距離無線通信装置１２２の動作について図３のフローチャートを用いて説明する。
（ステップＳ３０１）情報受信部１２２０２は、情報を受信したか否かを判断する。情報を受信すればステップＳ３０２に行き、情報を受信しなければステップＳ３０１に戻る。
（ステップＳ３０２）判断部１２２０３は、条件情報格納部１２２０１の条件情報を取得する。
【００２５】
（ステップＳ３０３）判断部１２２０３は、ステップＳ３０１で受信した情報が有するエリア情報が、ステップＳ３０２で取得した条件情報に対して、条件に合致するか否かを判断する。条件に合致すればステップＳ３０４に行き、条件に合致しなければステップＳ３０１に戻る。
【００２６】
（ステップＳ３０４）情報送付部１２２０４は、ステップＳ３０１で受信した情報を携帯端末１２１に送付する。なお、情報の送付は、エリア情報のみ、または付加情報のみでも良い。さらに、エリア情報と付加情報を送付するタイミングは問わない。
なお、図３のフローチャートにおいて、電源オフや処理終了の割り込みにより処理は終了する。
次に、携帯端末１２１の動作について図４のフローチャートを用いて説明する。
（ステップＳ４０１）情報受付部１２１０２は、近距離無線通信装置１２２から情報を受け付けたか否かを判断する。情報を受け付ければステップＳ４０２に行き、情報を受け付けなければステップＳ４０１に戻る。
（ステップＳ４０２）情報出力部１２１０３は、ステップＳ４０１で受け付けた情報からエリア情報を取得する。
【００２７】
（ステップＳ４０３）情報出力部１２１０３は、ステップＳ４０２で取得したエリア情報を出力する。なお、情報出力部１２１０３は、エリア情報を受け付けた旨のみを出力しても良い。かかるエリア情報を受け付けた旨のみの出力は、例えば、ブザー音の出力や、光による出力やディスプレイへの表示等である。
（ステップＳ４０４）指示受付部１２１０１は、指示を受け付けたか否かを判断する。指示を受け付ければステップＳ４０５に行き、指示を受け付けなければステップＳ４０４に戻る。
【００２８】
（ステップＳ４０５）情報出力部１２１０３は、ステップＳ４０４で受け付けた指示が、付加情報の出力指示であるか否かを判断する。付加情報の出力指示であればステップＳ４０６に行き、付加情報の出力指示でなければステップＳ４０１に戻る。
（ステップＳ４０６）情報出力部１２１０３は、ステップＳ４０１で受け付けた情報から付加情報を取得し、出力する。ステップＳ４０１に戻る。
【００２９】
なお、図４のフローチャートにおいて、電源オフや処理終了の割り込みにより処理は終了する。また、図４のフローチャートにおいて、ユーザ指示の受け付けにより、付加情報を出力したが、ユーザ指示の受け付けずとも、自動的に付加情報を出力しても良い。
以下、本実施の形態における情報処理ステムの具体的な動作について説明する。情報処理システムの概念図は図１である。
【００３０】
本例において、ユーザは、観光地である一の寺院を訪れている。寺院の各場所において、情報配信装置１１（図１において１１（１）、１１（２）、１１（３）など）が設置されている。情報配信装置１１は、その場所を示すエリア情報と、当該場所について説明する情報である付加情報を格納している。また、情報配信装置１１は、常時、エリア情報と付加情報をブルートゥース等の近距離無線通信手段により送信している。今、情報配信装置１１（１）、１１（２）、１１（３）には、それぞれ、図５に示すエリア情報と付加情報が格納されている、とする。
【００３１】
また、ユーザは、携帯端末１２１と近距離無線通信装置１２２を具備する通信装置１２を保持している。近距離無線通信装置１２２は、携帯端末１２１に対して、コネクタにより接続されている。なお、近距離無線通信装置１２２は、携帯端末１２１にケーブルにより接続さていても良い。
【００３２】
また、近距離無線通信装置１２２の条件情報格納部１２２０１には、ユーザが見たい観光スポットを示すエリア情報、およびユーザの好きなエリア情報の属性値（ここでは、ユーザが好きな時代を示す情報）が格納されている（図６参照）。
【００３３】
次に、ユーザは、通信装置１２を携帯して、図１の寺院を観光している。今、情報配信装置１１（２）の前をユーザが通過する、とする。そして、近距離無線通信装置１２２は、情報配信装置１１（２）からエリア情報と付加情報（図５参照）を受信する。そして、近距離無線通信装置１２２の判断部１２２０３は、受信したエリア情報を条件情報格納部１２２０１のエリア情報（図６参照）が有するか否かを判断する。ここでは、受信したエリア情報を条件情報格納部１２２０１のエリア情報（図６参照）が有するので、判断部１２２０３は、条件に合致する、と判断する。
次に、近距離無線通信装置１２２の情報送付部１２２０４は、エリア情報と付加情報を携帯端末１２１に渡す。
【００３４】
携帯端末１２１の情報受付部１２１０２は、近距離無線通信装置１２２から情報配信装置１１（２）のエリア情報と付加情報を受け付ける。そして、携帯端末１２１の情報出力部１２１０３は、まず、エリア情報を音声で出力し、かつ、付加情報の出力を促す（図７参照）。
次に、ユーザは、付加情報の出力を指示する（「ＹＥＳ」ボタンを押下する）と、図８に示すように、携帯端末１２１の情報出力部１２１０３は、付加情報を出力する。
【００３５】
次に、ユーザは、情報配信装置１１（１）の前をユーザが通過した、とする。その場合、近距離無線通信装置１２２は、エリア情報「ＡＢＣ蔵」と対応する付加情報（図５参照）を受信する。そして、近距離無線通信装置１２２の判断部１２２０３は、受信したエリア情報「ＡＢＣ蔵」を条件情報格納部１２２０１のエリア情報（図６参照）が有するか否かを判断する。ここでは、受信したエリア情報「ＡＢＣ蔵」を条件情報格納部１２２０１のエリア情報（図６参照）が有しないので、判断部１２２０３は、条件に合致しない、と判断する。そして、携帯端末１２１は、何も出力しない。
【００３６】
なお、上記の例において、条件情報格納部１２２０１に格納されている条件情報が有するエリア情報の属性値「鎌倉」を、近距離無線通信装置１２２が受信した付加情報が有するか否かを判断し、エリア情報の属性値を有すれば、条件に合致する、と判断しても良い。そして、携帯端末１２１は、エリア情報や付加情報を出力しても良い。
【００３７】
以上、本実施の形態によれば、予め登録しているエリアであること、またはユーザの嗜好に合致するエリアであることを、ユーザに知らしめることができ、ユーザにとって有益である。具体的には、例えば、上記システムによって、ユーザは、有意義な観光ができる。
【００３８】
また、本実施の形態によれば、予め登録しているエリアやユーザの嗜好に合致するエリアにおいてガイダンスなどの付加情報を取得できる。したがって、興味のないエリアに関する情報を出力しないので、例えば、効果的な観光が可能である。
【００３９】
また、本実施の形態によれば、携帯端末の指示受付部が付加情報の出力指示を受け付けた場合に、携帯端末の情報出力部は付加情報をも出力したが、指示によらずに付加情報をも出力しても良い。つまり、付加情報の出力のトリガーは問わない。かかることは、他の実施の形態においても同様である。
【００４０】
また、本実施の形態によれば、情報配信装置は付加情報を送信し、通信装置は付加情報をも出力する態様であったが、エリア情報または／およびエリア情報を受け付けた旨を出力するだけでも良い。つまり、ユーザが予め登録しているエリアであること、またはユーザの嗜好に合致するエリアであることを知るような態様であれば良い。かかることも、他の実施の形態においても同様である。
【００４１】
また、本実施の形態において、ユーザが登録されたエリア内に入ると、ランプまたはベルにより、ユーザはその事実を知る。そのエリアが何のエリアであるか、音声または文字情報（上記の付加情報に該当する）により通知する、という態様が好適である。この行為は、携帯端末（携帯電話）に電話がかかってきた際に受話ボタンを押す行為と同様で受話ボタン等が押されると通知されるガイダンスの内容が確認できる。
【００４２】
また、本実施の形態によれば、受信したエリア情報が条件に合致するか否かは、近距離無線通信装置が判断したが、かかる判断は、携帯端末が行っても良い。かかる場合、情報処理システムは、携帯端末と当該携帯端末に接続する近距離無線通信装置を具備する通信装置と、近距離無線通信手段により情報を配信する情報配信装置を具備する情報処理システムであって、前記近距離無線通信装置は、前記情報配信装置から、エリアに関する情報であるエリア情報を近距離無線通信手段により受信する情報受信部と、前記情報受信部が受信したエリア情報を前記携帯端末に渡す情報送付部を具備し、前記携帯端末は、情報を出力するか否かを判断するための条件である条件情報を格納している条件情報格納部と、前記近距離無線通信装置から情報を受け付ける情報受付部と、前記情報受信部が受信したエリア情報が、前記条件情報に基づいて出力するか否かを判断する判断部と、前記判断部が出力すると判断した場合に、前記エリア情報または／およびエリア情報を受信した旨を示す情報を出力する情報出力部を具備し、前記情報配信装置は、エリア情報を格納しているエリア情報格納部と、前記エリア情報を近距離無線通信手段により送信する情報送信部を具備する情報処理システムである。
【００４３】
また、本実施の形態によれば、通信装置は、携帯端末と近距離無線通信装置を接続したものであったが、一体型のものでも良い。かかる場合、情報処理システムは、通信装置と、近距離無線通信手段により情報を配信する情報配信装置を具備する情報処理システムであって、前記通信装置は、情報を出力するか否かを判断するための条件である条件情報を格納している条件情報格納部と、前記情報配信装置から、エリアに関する情報であるエリア情報を近距離無線通信手段により受信する情報受信部と、前記情報受信部が受信したエリア情報または／およびエリア情報を受信した旨を示す情報を、前記条件情報に基づいて出力するか否かを判断する判断部と、前記判断部が出力すると判断した場合に、前記エリア情報または／およびエリア情報を受信した旨を示す情報を出力する情報出力部を具備し、前記情報配信装置は、エリア情報を格納しているエリア情報格納部と、前記エリア情報を近距離無線通信手段により送信する情報送信部を具備する情報処理システムである。
【００４４】
また、本実施の形態によれば、携帯端末は、予め登録しているエリアであれば何度でも、エリア情報や付加情報などを出力したが、通信装置の所定のエリアへの通過回数により、前記携帯端末が出力する情報が異なっても良い。かかることは、他の実施の形態においても同様である。つまり、本実施の形態において、例えば、近距離無線通信装置は、受信したエリア情報を記録しておき、例えば、記録しているエリア情報を情報配信装置から受信した場合には、携帯端末にエリア情報や付加情報を送付せず、携帯端末はエリア情報や付加情報を出力しない態様にしても良い。また、近距離無線通信装置は、同一のエリア情報を受信した回数を記録し、例えば、１度目は、ユーザの指示なしにエリア情報と付加情報を出力し、２度目は、まずエリア情報のみを出力し、次にユーザの指示に基づいて付加情報を出力し、３度目以降は、エリア情報と付加情報を出力しない態様でも良い。また、かかるエリア情報の受信回数は、１日でリセットされることが好適である。なお、上記の「出力する情報が異なる」とは、出力しない場合もあることを含んでも良い。
【００４５】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における近距離無線通信装置を実現するソフトウェアは、以下のようなプログラムである。つまり、このプログラムは、コンピュータに、エリア情報または／および付加情報を受信する情報受信ステップと、前記情報受信ステップで受信したエリア情報または／およびエリア情報を受信した旨を示す情報または／および付加情報を、格納している条件情報に基づいて出力するか否かを判断する判断ステップと、前記判断ステップで出力すると判断した場合に、前記エリア情報または／および前記エリア情報を受信した旨を示す情報または／および付加情報を前記携帯端末に渡す情報送付ステップを実行させるためのプログラムである。なお、情報受信ステップは、近距離無線通信手段により情報を受信することが好ましい。また、携帯端末を実現するソフトウェアは、以下のようなプログラムである。つまり、このプログラムは、コンピュータに、近距離無線通信装置から情報を受け付ける情報受付ステップと、前記情報を出力する情報出力ステップを実行させるためのプログラムである。
【００４６】
また、一体型の通信装置を実現するソフトウェアは、以下のようなプログラムである。つまり、このプログラムは、コンピュータに、エリアに関する情報であるエリア情報または／および付加情報を受信する情報受信ステップと、前記情報受信ステップで受信したエリア情報または／およびエリア情報を受信した旨を示す情報または／および付加情報を、格納している条件情報に基づいて出力するか否かを判断する判断ステップと、前記判断ステップで出力すると判断した場合に、前記エリア情報または／および前記エリア情報を受信した旨を示す情報または／および付加情報を出力する情報出力ステップを実行させるためのプログラムである。なお、情報受信ステップは、近距離無線通信手段により情報を受信することが好ましい。
（実施の形態２）
【００４７】
本実施の形態において、通信装置は、ユーザ指示により、詳細情報をサーバ装置から受信し、出力する。詳細情報とは、エリア（地点も含む）や、エリアに関連する物などの詳細な情報である。詳細情報は、テキスト、画像、動画、音声等の1以上の組み合わせからなる情報であり、その内容は問わない。
図９は、本実施の形態における情報処理システムのブロック図である。情報処理システムは、情報配信装置９１、通信装置９２、サーバ装置９３を具備する。
情報配信装置９１は、エリア情報格納部１１０１、付加情報格納部１１０２、サーバ識別子格納部９１０１、情報送信部９１０３を具備する。
【００４８】
通信装置９２は、携帯端末９２１、近距離無線通信装置９２２を具備する。近距離無線通信装置９２２は、携帯端末９２１に接続される。つまり、近距離無線通信装置９２２は、携帯端末９２１から着脱可能である。近距離無線通信装置９２２は、携帯端末９２１に、例えば、コネクタにより接続されたり、ケーブルにより接続されたりする。近距離無線通信装置９２２が携帯端末９２１に接続される態様は、問わない。
携帯端末９２１は、指示受付部９２１０１、情報受付部９２１０２、情報出力部９２１０３、詳細情報受信部９２１０４、指示送信部９２１０５を具備する。
近距離無線通信装置９２２は、条件情報格納部１２２０１、情報受信部９２２０２、判断部１２２０３、情報送付部９２２０４を具備する。
サーバ装置９３は、詳細情報格納部９３０１、指示受信部９３０２、詳細情報送信部９３０３、情報蓄積部９３０４、回数クリア部９３０５を具備する。
【００４９】
サーバ識別子格納部９１０１は、サーバ装置９３にアクセスするための情報であるサーバ識別子を格納している。サーバ識別子は、サーバ装置９３にアクセスするためのＵＲＬやＵＲＩやＩＰアドレス等である。サーバ識別子格納部９１０１は、不揮発性の記録媒体が好適であるが、揮発性の記録媒体でも実現可能である。なお、サーバ識別子格納部９１０１とエリア情報格納部１１０１と付加情報格納部１１０２は、通常、一の記録媒体で実現される。
【００５０】
情報送信部９１０３は、エリア情報格納部１１０１のエリア情報と付加情報格納部１１０２の付加情報とサーバ識別子格納部９１０１のサーバ識別子を近距離無線通信手段により送信する。情報送信部９１０３がエリア情報と付加情報サーバ識別子を送信するタイミングは問わない。例えば、情報送信部９１０３は、定期的に繰り返し情報を送信する。また、例えば、情報送信部９１０３は、通信装置９２の指示により情報を送信しても良い。情報送信部９１０３は、ブルートゥース（登録商標）などの近距離無線通信手段や無線タグなどで実現され得る。
【００５１】
指示受付部９２１０１は、付加情報の出力指示、詳細情報の出力指示、詳細情報の出力をしない旨の指示である出力不要指示などの入力を受け付ける。出力指示は、例えば、携帯端末９２１のテンキーから入力される。なお、出力指示の入力手段は、キーボードやマウスやメニュー画面によるもの等、何でも良い。指示受付部９２１０１は、テンキーやキーボード等の入力手段のデバイスドライバーや、メニュー画面の制御ソフトウェア等で実現され得る。
【００５２】
情報受付部９２１０２は、近距離無線通信装置９２２から情報を受け付ける。受け付ける情報は、付加情報または／およびエリア情報または／およびエリア情報である旨を示す情報または／およびサーバ識別子などである。情報受付部９２１０２は、例えば、バスを経由して情報を受け付ける。
【００５３】
情報出力部９２１０３は、情報受付部１２１０２が受け付けた情報、および詳細情報受信部９２１０４が受信した詳細情報を出力する。出力とは、ディスプレイへの表示、プリンタへの印字、音出力、外部の装置への送信、バイブレーション等を含む概念である。つまり、携帯端末９２１は、エリアに関するガイダンスなどをディスプレイに表示しても良いし、音声で出力しても良いし、バイブレーションによりユーザに知らせても良い。情報出力部９２１０３は、ディスプレイやスピーカー等の出力デバイスを含むと考えても含まないと考えても良い。情報出力部９２１０３は、出力デバイスのドライバーソフトまたは、出力デバイスのドライバーソフトと出力デバイス等で実現され得る。
【００５４】
詳細情報受信部９２１０４は、指示送信部９２１０５における詳細情報の出力指示の送信に対応して、サーバ装置９３から詳細情報を受信する。詳細情報受信部９２１０４は、無線の通信手段が好適であるが、放送を受信する手段等でも実現可能である。
【００５５】
指示送信部９２１０５は、指示受付部９２１０１が受け付けた詳細情報の出力指示または詳細情報の出力不要指示、および端末識別子およびエリア情報をサーバ装置９３に送信する。指示送信部９２１０５は、無線の通信手段が好適であるが、放送手段でも実現可能である。なお、端末識別子は、携帯端末９２１を識別する情報である。端末識別子は、例えば、携帯端末９２１の電話番号である。ただし、端末識別子の構造は問わない。また、端末識別子は、通信装置９２を識別する情報であっても良い。
【００５６】
情報受信部９２２０２は、情報配信装置９１からエリア情報と付加情報とサーバ識別子を近距離無線通信手段により受信する。情報受信部９２２０２は、ブルートゥースなどの近距離無線通信手段や無線タグリーダーなどで実現され得る。
【００５７】
情報送付部９２２０４は、判断部１２２０３が出力すると判断した場合に、エリア情報または／およびエリア情報を受信した旨を示す情報または／および付加情報または／およびサーバ識別子を携帯端末１２１に渡す。
詳細情報格納部９３０１は、詳細情報を格納している。詳細情報格納部９３０１は、不揮発性の記録媒体が好適であるが、揮発性の記録媒体でも実現可能である。
【００５８】
指示受信部９３０２は、携帯端末９２１から出力指示または出力不要指示、および端末識別子およびエリア情報を受信する。指示受信部９３０２は、無線の通信手段が好適であるが、放送を受信する手段でも実現可能である。
【００５９】
詳細情報送信部９３０３は、詳細情報格納部９３０１の詳細情報を携帯端末９２１に送信する。なお、詳細情報送信部９３０３は、通常、携帯端末９２１が存在するエリアに関連する詳細情報を、エリア情報に基づいて詳細情報格納部９３０１から検索して送信する。詳細情報送信部９３０３は、エリア情報に加えて、他の情報（例えば、以下に述べる回数の情報）に基づいて詳細情報格納部９３０１から詳細情報を検索して送信しても良い。また、詳細情報格納部９３０１は、例えば、詳細情報とエリア情報の組を1組以上保持している。詳細情報送信部９３０３は、無線の通信手段が好適であるが、放送手段でも実現可能である。
【００６０】
情報蓄積部９３０４は、指示受信部９３０２が受信した情報（否出力情報を含む）を蓄積する。否出力情報は、出力不要指示と端末識別子を有する情報である。また、情報蓄積部９３０４は、一のエリア情報に対応する、端末識別子を受信した回数をも蓄積する。つまり、情報蓄積部９３０４は、端末識別子を受信する毎に、一のエリア情報に対応する、端末識別子ごとに管理された回数をインクリメントする。この回数は、ユーザが一のエリアを通過、または滞在した回数を示す。情報蓄積部９３０４が情報を蓄積する記録媒体は、通常、不揮発性の記録媒体である。情報蓄積部９３０４は、通常、ＭＰＵやメモリ等から実現され得る。情報蓄積部９３０４の処理手順は、通常、ソフトウェアで実現され、当該ソフトウェアはＲＯＭ等の記録媒体に記録されている。但し、ハードウェア（専用回路）で実現しても良い。
【００６１】
回数クリア部９３０５は、所定の期間毎に、情報蓄積部９３０４が蓄積した回数をクリアする。所定の期間毎とは、例えば、1日ごと、である。回数クリア部９３０５は、通常、ＭＰＵやメモリ等から実現され得る。回数クリア部９３０５の処理手順は、通常、ソフトウェアで実現され、当該ソフトウェアはＲＯＭ等の記録媒体に記録されている。但し、ハードウェア（専用回路）で実現しても良い。
以下、本情報処理システムの動作について説明する。まず、情報配信装置９１の動作について説明する。
情報配信装置９１の情報送信部１１０３は、常時、エリア情報と付加情報とサーバ識別子を外部に送信し続ける。
次に、近距離無線通信装置９２２の動作について図１０のフローチャートを用いて説明する。
【００６２】
（ステップＳ１００１）情報受信部９２２０２は、エリア情報と付加情報とサーバ識別子を有する情報を受信したか否かを判断する。情報を受信すればステップＳ１００２に行き、情報を受信しなければステップＳ１００１に戻る。
（ステップＳ１００２）判断部１２２０３は、条件情報格納部１２２０１の条件情報を取得する。
【００６３】
（ステップＳ１００３）判断部１２２０３は、ステップＳ１００１で受信した情報が有するエリア情報が、ステップＳ１００２で取得した条件情報に対して、条件に合致するか否かを判断する。条件に合致すればステップＳ１００４に行き、条件に合致しなければステップＳ１００１に戻る。
【００６４】
（ステップＳ１００４）情報送付部９２２０４は、ステップＳ１００１で受信した情報を携帯端末９２１に送付する。なお、情報の送付は、エリア情報と付加情報とサーバ識別子のうちの1以上の情報である。また、エリア情報と付加情報とサーバ識別子を送付するタイミングは問わない。
なお、図１０のフローチャートにおいて、電源オフや処理終了の割り込みにより処理は終了する。
次に、携帯端末９２１の動作について図１１のフローチャートを用いて説明する。
【００６５】
（ステップＳ１１０１）情報受付部１２１０２は、近距離無線通信装置１２２から情報を受け付けたか否かを判断する。情報を受け付ければステップＳ１１０２に行き、情報を受け付けなければステップＳ１１０１に戻る。
（ステップＳ１１０２）情報出力部９２１０３は、ステップＳ１１０１で受け付けた情報からエリア情報を取得する。
【００６６】
（ステップＳ１１０３）情報出力部９２１０３は、ステップＳ１１０２で取得したエリア情報を出力する。なお、情報出力部９２１０３は、エリア情報を受け付けた旨のみを出力しても良い。かかるエリア情報を受け付けた旨のみの出力は、例えば、ブザー音の出力や、光による出力やディスプレイへの表示等である。
（ステップＳ１１０４）情報出力部９２１０３は、ステップＳ１１０１で受け付けた情報から付加情報を取得し、出力する。
（ステップＳ１１０５）指示受付部９２１０１は、指示を受け付けたか否かを判断する。指示を受け付ければステップＳ１１０５に行き、指示を受け付けなければステップＳ１１０４に戻る。
【００６７】
（ステップＳ１１０６）指示送信部９２１０５は、ステップＳ１１０５で受け付けた指示（詳細情報の出力指示または詳細情報の出力不要指示）、および端末識別子およびエリア情報に基づいて送信する情報を構成する。
（ステップＳ１１０７）指示送信部９２１０５は、ステップＳ１１０６で構成した情報を、情報受付部９２１０２が受け付けたサーバ識別子で識別されるサーバ装置９３に送信する。
【００６８】
（ステップＳ１１０８）情報出力部９２１０３は、ステップＳ１１０５で受け付けた指示が、詳細情報の出力指示であるか否かを判断する。詳細情報の出力指示であればステップＳ１１０９に行き、詳細情報の出力指示でなければステップＳ１１０１に戻る。
（ステップＳ１１０９）詳細情報受信部９２１０４は、詳細情報を受信した否かを判断する。詳細情報を受信すればステップＳ１１１０に行き、詳細情報を受信しなければステップＳ１１０９に戻る。
（ステップＳ１１１０）情報出力部９２１０３は、ステップＳ１１０９で受信した詳細情報出力する。ステップＳ１１０１に戻る。
なお、図１１のフローチャートにおいて、電源オフや処理終了の割り込みにより処理は終了する。
次に、サーバ装置９３の動作について図１２のフローチャートを用いて説明する。
（ステップＳ１２０１）指示受信部９３０２は、携帯端末９２１から指示等を受信したか否かを判断する。指示等を受信すればステップＳ１２０２に行き、指示等を受信しなければステップＳ１２０９に飛ぶ。
【００６９】
（ステップＳ１２０２）詳細情報送信部９３０３は、ステップＳ１２０１で受信した指示が詳細情報の出力指示であるか否かを判断する。詳細情報の出力指示であればステップＳ１２０３に行き、詳細情報の出力指示でなければステップＳ１２０８に飛ぶ。
（ステップＳ１２０３）情報蓄積部９３０４は、ステップＳ１２０１で受信した指示等が有するエリア情報を取得する。
（ステップＳ１２０４）情報蓄積部９３０４は、ステップＳ１２０１で受信した指示等が有する端末識別子を取得する。
（ステップＳ１２０５）情報蓄積部９３０４は、ステップＳ１２０３で取得したエリア情報とステップＳ１２０４で取得した端末識別子に対応する、回数を１インクリメントした情報（回数）を蓄積する。
【００７０】
（ステップＳ１２０６）詳細情報送信部９３０３は、ステップＳ１２０５で蓄積した回数と、エリア情報に基づいて、詳細情報格納部９３０１から送信する詳細情報を検索する。なお、ここでは、詳細情報格納部９３０１は、回数を示す情報とエリア情報と詳細情報が対になった情報を1以上保持している、とする。
（ステップＳ１２０７）詳細情報送信部９３０３は、ステップＳ１２０６で検索した詳細情報を携帯端末９２１に送信する。ステップＳ１２０１に戻る。
【００７１】
（ステップＳ１２０８）情報蓄積部９３０４は、は、ステップＳ１２０１で受信した指示が詳細情報の出力不要指示であるか否かを判断する。出力不要指示であればステップＳ１２０３に行き、出力不要指示でなければステップＳ１２０１に戻る。
【００７２】
（ステップＳ１２０９）回数クリア部９３０５は、管理している回数の情報をクリアする時期であるか否かを判断する。回数の情報をクリアする時期であればステップＳ１２１０に行き、回数の情報をクリアする時期でなければステップＳ１２０１に戻る。なお、回数の情報は、情報蓄積部９３０４が蓄積した情報である。
（ステップＳ１２１０）回数クリア部９３０５は、管理している回数の情報をクリアする。
なお、図１２のフローチャートにおいて、電源オフや処理終了の割り込みにより処理は終了する。
【００７３】
以下、本実施の形態における情報処理システムの具体的な動作について説明する。情報処理システムの概念図は図１３である。ユーザは、通信装置９２を携帯し、美術館に入館し、絵画を鑑賞している。そして、各絵画の付近に、情報配信装置９１が設置されている。また、美術館は、サーバ装置９３を具備しており、通信装置９２の携帯端末９２１は、サーバ装置９３から詳細情報を受信し、出力する。
【００７４】
今、例えば、各情報配信装置９１は、図１４に示すような構造の情報を保持している。この情報は、エリア情報、付加情報、サーバ識別子を有する。エリア情報は、ここでは、絵画を特定する情報である。付加情報は、ここでは、絵画の作家を示す情報である。さらに、サーバ識別子は、ここでは、詳細情報が格納されているサーバ装置９３のＵＲＬを示す情報である。なお、図１４は、美術館の左側の山の絵画付近の情報配信装置９１が格納している情報である。
また、近距離無線通信装置９２２は、「山」という条件情報を格納している。つまり、本ユーザは、山の絵画を好む人である。
かかる状況において、ユーザは、美術館の左側の山の絵画付近に移動した、とする。そして、情報配信装置９１は、常に、図１４の情報を近距離無線通信手段で送信し続けている。
そして、ユーザが保持している通信装置９２の近距離無線通信装置９２２は、図１４の情報を受信する。
【００７５】
次に、近距離無線通信装置９２２は、受信した図１４のエリア情報「富士山絵画」を取得する。そして、近距離無線通信装置９２２は、格納している条件情報「山」を読み出す。次に、近距離無線通信装置９２２は、「富士山絵画」が条件情報「山」に対して、条件が合致するか否かを判断する。ここでは、エリア情報に、条件情報が含まれる（部分一致）場合に、条件に合致する、とする。ここでは、エリア情報「富士山絵画」は条件情報「山」を含むので、近距離無線通信装置９２２は、条件に合致する、と判断する。
【００７６】
次に、近距離無線通信装置９２２は、図１４の情報を、携帯端末９２１に送付する。次に、携帯端末９２１は、図１４の情報を受け付け、まず、エリア情報「富士山絵画」を出力する（図１５参照）。ここでの、情報出力は、ディスプレイへの表示である。また、さらに、携帯端末９２１は、付加情報「Ａ山Ｂ夫」を出力する（図１６参照）。付加情報の出力は、ここでは、ディスプレイへの表示と音声出力である。
【００７７】
そして、次に、携帯端末９２１は、詳細情報を取得するか否かを示す入力をユーザに促す。ユーザの指示を受け付ける入力インターフェイスの例も図１６に示す。ここでは、「取得」ボタンの押下を受け付けると、サーバ装置９３から詳細情報を受信し、「不要」ボタンを受け付けると、サーバ装置９３から詳細情報を受信しない、とする。
【００７８】
ユーザは、ここで、「取得」ボタンを押下した、とする。次に、携帯端末９２１は、図１７に示す情報を構成し、当該情報をサーバ装置９３に送信する。図１７に示す情報は、指示情報、エリア情報、端末識別子を有する。指示情報は、出力指示または出力不要指示の値を取り得る。端末識別子は、携帯端末９２１と通信をするための情報であり、ここでは、携帯端末９２１の電話番号である。なお、サーバ装置９３への情報の送信は、図１４のサーバ識別子を用いることにより可能となる。そして、サーバ装置９３は、図１７の情報を受信する。
【００７９】
ここで、サーバ装置９３は、図１８に示す通過回数管理表を保持している。通過回数管理表は、「ＩＤ」「端末識別子」「エリア情報」「回数」を有するレコードを1以上保持している。「ＩＤ」は、レコードを識別する情報であり、表管理上の要請のために存在する。「端末識別子」は、携帯端末９２１または通信装置９２を識別する情報である。「エリア情報」は、エリア（ここでは、絵画）を識別する情報である。「回数」は、一ユーザの所定のエリアの通過回数を示す情報である。
【００８０】
そして、サーバ装置９３の情報蓄積部９３０４は、受信した図１７の情報からエリア情報「富士山絵画」、端末識別子「０９０１２３４５６７８」に対応するレコード（「ＩＤ＝１」のレコード）の回数を「１」から「２」にインクリメントする。つまり、このユーザは、富士山絵画の前を通過するのが２回目であることを示す。
次に、サーバ装置９３は、格納している詳細情報から、エリア情報「富士山絵画」に対応する詳細情報を取得し、携帯端末９２１に送信する。
【００８１】
次に、携帯端末９２１は、サーバ装置９２１から送信された詳細情報を受信し、出力する（図１９参照）。なお、図１９における詳細情報を出力は、ディスプレイへの表示であったが、音声出力やバイブレーションなど、他の態様であっても良い。
【００８２】
次に、ユーザは、エリア情報「荒海絵画」の前に移動する、とする。ここで、絵画「荒海絵画」（図１３の右側の絵画）の付近に設置された情報配信装置９１から、近距離無線通信装置９２２は、エリア情報「荒海絵画」を含む情報を受信する。そして、近距離無線通信装置９２２は、エリア情報「荒海絵画」と格納している条件情報「山」を比較し、エリア情報「荒海絵画」は条件情報「山」を含まないので、条件に合致しない、と判断する。そして、情報配信装置９１から受信した情報を携帯端末９２１に送付しない。
【００８３】
次に、ユーザは、当該ユーザが好きな絵画「富士山絵画」の前に戻って、この絵画をさらに鑑賞する、とする。次に、上記の説明と同様に、近距離無線通信装置９２２は、「富士山絵画」の付近に設置された情報配信装置９１から、図１４に示す情報を受信する。そして、近距離無線通信装置９２２は、受信した情報が有するエリア情報「富士山絵画」が条件に合致する、と判断し、受信した情報を携帯端末９２１に渡す。携帯端末９２１は、上記と同様に、エリア情報と付加情報を出力する。そして、ユーザに、詳細情報を出力するか否かの指示を促す（図１６参照）。ここでも、ユーザは、「取得」ボタンを押下した、とする。すると、携帯端末９２１は、図１７の情報をサーバ装置９３に送信する。サーバ装置は、図１８に示すエリア情報「富士山絵画」、端末識別子「０９０１２３４５６７８」に対応するレコード（「ＩＤ＝１」のレコード）の回数を「２」から「３」にインクリメントする。次に、サーバ装置９３は、エリア情報「富士山絵画」に対応する詳細情報を検索し、携帯端末９２１に送信する。携帯端末９２１は、詳細情報を受信し、出力する（図１９参照）。ここで、サーバ装置９３は、回数に基づいて、送信する詳細情報を異なる詳細情報にしても良い。また、サーバ装置９３は、回数に基づいて、詳細情報を送信したり、しなかったりしても良い。かかる場合、例えば、サーバ装置９３は、図２０に示す詳細情報管理表を保持している。詳細情報管理表は、詳細情報格納部９３０１に格納されている表であり、「ＩＤ」「エリア情報」「回数」「詳細情報」を有するレコードを1以上保持している。かかるレコードの構成は、「回数」に応じた「詳細情報」を決定できる構成になっている。つまり、サーバ装置９３は、図２０に示す詳細情報管理表を用いて、エリア情報「富士山絵画」を３度目に通過するユーザに対して、１、２回目とは異なる詳細情報（図２０の表によれば、「ＩＤ＝２」の詳細情報）を携帯端末９２１に送信する。携帯端末９２１には、「この富士山の絵は、山中湖・・・・・・」という詳細情報を受信し、出力する。
【００８４】
また、図１６に示す指示の入力画面において、ユーザが「不要」ボタンを押下した場合にも、携帯端末９２１は、情報を構成し、サーバ装置９３に送信しても良い。かかる情報は、「出力不要指示」を示す指示情報と、エリア情報、端末識別子を有する。なお、出力不要指示と携帯端末を識別する端末識別子を有する情報を否出力情報という。そして、サーバ装置９３は、否出力情報を有する情報を受信し、情報蓄積部９３０４は、否出力情報または、否出力情報を有する情報を蓄積する。
【００８５】
また、サーバ装置９３の回数クリア部９３０５は、１日毎に、情報蓄積部９３０４が蓄積した回数をクリアする。つまり、回数クリア部９３０５は、毎日、所定の時刻（例えば、２３時５９分）に、図２０の表のレコードをすべて削除するか、図２０の表の「回数」の値を「０」に書き換える。
【００８６】
以上、本実施の形態によれば、予め登録しているエリアであること、またはユーザの嗜好に合致するエリアであることを、ユーザに知らしめることができ、ユーザにとって有益である。具体的には、例えば、上記システムによって、ユーザは、ユーザが好む絵画であることが直ちに分かり、有意義な絵画鑑賞ができる。
【００８７】
また、本実施の形態によれば、予め登録しているエリアやユーザの嗜好に合致するエリアにおいてガイダンスなどの付加情報や、さらに詳しい情報である詳細情報を取得できる。したがって、興味のないエリアに関する情報を出力しないので、例えば、効果的な絵画鑑賞が可能である。
また、本実施の形態において、付加情報と詳細情報の内容的な差異は無くても良い。また、本実施の形態によれば、付加情報と詳細情報を出力したが、詳細情報のみを出力しても良い。
【００８８】
また、本実施の形態によれば、サーバ装置９３から通信装置９２に詳細情報のみを送信したが、サーバ装置９３は、例えば、詳細情報の出力指示を通信装置９２（携帯端末９２１）から受信した場合に、詳細情報に加えて、アプリケーション（プログラム）を携帯端末９２１に送信しても良い。そして、携帯端末９２１は、アプリケーションを蓄積する。そして、ユーザは、当該アプリケーションを用いて、いつでも詳細情報や他の情報にアクセスできる。また、当該アプリケーションをパーソナルコンピュータにインストールした場合、ユーザは、パーソナルコンピュータのアプリケーションを用いて詳細情報や他の情報にアクセスできる。アプリケーションをパーソナルコンピュータにインストールする方法は、アプリケーションの無線通信による送受信や記録媒体を介した方法等、問わない。
【００８９】
また、本実施の形態によれば、通信装置は、携帯端末と近距離無線通信装置を接続したものであったが、一体型のものでも良い。かかる場合、情報処理システムは、近距離無線通信手段により情報を配信する情報配信装置と通信装置とサーバ装置を具備する情報処理システムであって、前記情報配信装置は、エリア情報を格納しているエリア情報格納部と、前記エリア情報を近距離無線通信手段により送信する情報送信部を具備し、前記通信装置は、情報を出力するか否かを判断するための条件である条件情報を格納している条件情報格納部と、前記情報配信装置から、エリアに関する情報であるエリア情報を近距離無線通信手段により受信する情報受信部と、前記情報受信部が受信したエリア情報または／およびエリア情報を受信した旨を示す情報を、前記条件情報に基づいて出力するか否かを判断する判断部と、前記判断部が出力すると判断した場合に、前記エリア情報または／および前記エリア情報を出力する情報出力部と、詳細情報の出力指示を受け付ける指示受付部と、前記詳細情報の出力指示を前記サーバ装置に送信する指示送信部と、前記指示送信部における詳細情報の出力指示の送信に対応して、前記サーバ装置から詳細情報を受信する詳細情報受信部と、前記詳細情報受信部が受信した詳細情報を出力する詳細情報出力部を具備し、前記サーバ装置は、１以上の詳細情報を格納している詳細情報格納部と、前記携帯端末から前記出力指示を受信する指示受信部と、前記指示受信部が携帯端末から前記詳細情報の出力指示を受信した場合に、前記詳細情報格納部の詳細情報を送信する詳細情報送信部を具備する情報処理システムである。
【００９０】
また、本実施の形態において、情報配信装置の情報送信部は、サーバ装置にアクセスするための情報であるサーバ識別子をも近距離無線通信装置に送信したが、必ずしもサーバ識別子を送信しなくても良い。かかる場合、例えば、携帯端末は、サーバ識別子を予め保持している。
【００９１】
さらに、本実施の形態における通信装置を実現するソフトウェアは、コンピュータに、情報配信装置から、エリアに関する情報であるエリア情報を近距離無線通信手段により受信する情報受信ステップと、前記情報受信ステップで受信したエリア情報または／およびエリア情報を受信した旨を示す情報を、格納している条件情報に基づいて出力するか否かを判断する判断ステップと、前記判断ステップで出力すると判断した場合に、前記エリア情報または／および前記エリア情報を出力する情報出力ステップと、詳細情報の出力指示を受け付ける指示受付ステップと、前記詳細情報の出力指示を前記サーバ装置に送信する指示送信ステップと、前記指示送信ステップにおける詳細情報の出力指示の送信に対応して、サーバ装置から詳細情報を受信する詳細情報受信ステップと、前記詳細情報受信ステップで受信した詳細情報を出力する詳細情報出力ステップを実行させるためのプログラムである。
（実施の形態３）
【００９２】
本実施の形態において、主として、通信装置が詳細情報をサーバ装置から取得するアプリケーションも情報配信装置から受信し、通信装置はかかるアプリケーションを実行し、詳細情報をサーバ装置から受信し、出力する態様について説明する。
図２１は、本実施の形態における情報処理システムのブロック図である。情報処理システムは、情報配信装置２１１、通信装置２１２、サーバ装置９３を具備する。
情報配信装置２１１は、エリア情報格納部１１０１、アプリ格納部２１１０２、情報送信部２１１０３を具備する。
【００９３】
通信装置２１２は、携帯端末２１２１、近距離無線通信装置２１２２を具備する。近距離無線通信装置２１２２は、携帯端末２１２１に接続される。近距離無線通信装置２１２２が携帯端末２１２１に接続される態様は、問わない。
携帯端末２１２１は、指示受付部２１２１０１、情報受付部２１２１０２、情報出力部２１２１０３、詳細情報受信部９２１０４、指示送信部９２１０５を具備する。
近距離無線通信装置２１２２は、条件情報格納部１２２０１、情報受信部２１２２０２、判断部１２２０３、情報送付部２１２２０４を具備する。
【００９４】
アプリ格納部２１１０２は、携帯端末２１２１で出力される情報である詳細情報を取得するアプリケーションを格納している。アプリケーションとは、ソフトウェアであり、実現されているプログラム言語等は問わない。アプリケーションとは、例えば、ウェブブラウザや、分散データベースの検索ソフトウェア等である。アプリ格納部２１１０２は、通常、不揮発性の記録媒体である。
【００９５】
情報送信部２１１０３は、エリア情報と、アプリ格納部２１１０２のアプリケーションを、常時、近距離無線通信手段により配信する。情報送信部２１１０３は、ブルートゥースなどの近距離無線通信手段や無線タグリーダーなどで実現され得る。
【００９６】
指示受付部２１２１０１は、情報受付部２１２１０２が受け付けたアプリケーションを起動し、ユーザの指示を受け付ける。ユーザの指示とは、詳細情報の出力指示、詳細情報の出力をしない旨の指示である出力不要指示などの入力である。なお、出力指示の入力手段は、キーボードやマウスやメニュー画面によるもの等、何でも良い。なお、指示受付部２１２１０１、情報出力部２１２１０３、詳細情報受信部９２１０４、指示送信部９２１０５は、情報受付部２１２１０２が受け付けたアプリケーションで実現される。
【００９７】
情報受付部２１２１０２は、近距離無線通信装置２１２２から情報を受け付ける。受け付け情報は、エリア情報または／およびエリア情報である旨を示す情報、およびアプリケーションなどである。情報受付部２１２１０２は、例えば、バスを経由して情報を受け付ける。
【００９８】
情報出力部２１２１０３は、情報受付部２１２１０２が受け付けたエリア情報または／およびエリア情報である旨を示す情報を出力する。出力とは、ディスプレイへの表示、プリンタへの印字、音出力、外部の装置への送信、バイブレーション等を含む概念である。つまり、携帯端末２１２１は、領域に関するガイダンスなどをディスプレイに表示しても良いし、音声で出力しても良いし、バイブレーションによりユーザに知らせても良い。情報出力部２１２１０３は、ディスプレイやスピーカー等の出力デバイスを含むと考えても含まないと考えても良い。情報出力部２１２１０３は、出力デバイスのドライバーソフトまたは、出力デバイスのドライバーソフトと出力デバイス等で実現され得る。
【００９９】
情報受信部２１２２０２は、情報配信装置２１１が送信したエリア情報とアプリケーションを、近距離無線通信手段により受信する。情報受信部２１２２０２は、ブルートゥースなどの近距離無線通信手段や無線タグリーダーなどで実現され得る。
【０１００】
情報送付部２１２２０４は、判断部１２２０３が出力すると判断した場合に、エリア情報または／およびエリア情報を受信した旨を示す情報およびアプリケーションを携帯端末２１２１に渡す。情報送付部２１２２０４は、例えば、バスを経由して情報を送付する。
【０１０１】
以下、本情報処理システムの動作について説明する。まず、情報配信装置２１１の動作について説明する。情報配信装置２１１は、エリア情報格納部１１０１のエリア情報と、アプリ格納部２１１０２のアプリケーションを対にして、常時、外部に送信し続ける。
【０１０２】
次に、近距離無線通信装置２１２２の動作について説明する。近距離無線通信装置２１２２の動作は、概ね図１０のフローチャートを用いて説明した近距離無線通信装置９２２の動作と同様である。つまり、近距離無線通信装置２１２２は、受信したエリア情報に基づいて条件に合致するか否かを判断し、条件に合致する場合に、受信したエリア情報とアプリケーションを携帯端末２１２１に渡す。
次に、携帯端末２１２１の動作について図２２のフローチャートを用いて説明する。なお、図２２のフローチャートにおいて、図１１のフローチャートと異なるステップについてのみ説明する。
（ステップＳ２２０１）指示受付部２１２１０１は、携帯端末２１２１が受け付けた情報からアプリケーションを取得する。
【０１０３】
（ステップＳ２２０２）指示受付部２１２１０１は、ステップＳ２２０１で取得したアプリケーションを起動する。なお、このアプリケーションが、ユーザの指示を受け付け、サーバ装置９３にアクセスして詳細情報を取得するためのアプリケーションを構成する。
【０１０４】
以下、本実施の形態における情報処理システムの具体的な動作について説明する。情報処理システムの概念図は図１３である。ユーザは、通信装置２１２を携帯し、美術館に入館し、絵画を鑑賞している。そして、各絵画の付近に、情報配信装置２１１が設置されている。また、美術館は、サーバ装置９３を具備しており、通信装置２１２の携帯端末２１２１は、サーバ装置９３から詳細情報を受信し、出力する。なお、本実施の形態では、付加情報は出力しない点、携帯端末２１２１がサーバ装置９３から情報を取得するためのアプリケーションを情報配信装置２１１から得ること以外は、実施の形態２における具体例と同様である。携帯端末２１２１は、近距離無線通信装置２１２２経由で、情報配信装置２１１から取得したアプリケーションを蓄積する。そして、ユーザは、いつもで、携帯端末２１２１のアプリケーションを起動して、サーバ装置９３から詳細情報を取得することができる。
【０１０５】
以上、本実施の形態によれば、予め登録しているエリアであること、またはユーザの嗜好に合致するエリアであることを、ユーザに知らしめることができ、ユーザにとって有益である。具体的には、例えば、上記システムによって、ユーザは、ユーザが好む絵画であることが直ちに分かり、有意義な絵画鑑賞ができる。
【０１０６】
また、本実施の形態によれば、予め登録しているエリアやユーザの嗜好に合致するエリアに関する、詳細情報を取得できる。したがって、興味のないエリアに関する情報を出力しないので、例えば、効果的な絵画鑑賞が可能である。
さらに、本実施の形態によれば、詳細情報を取得するためのアプリケーションは、情報配信装置から受信できるので、通信装置は、予めアプリケーションをインストールしておく必要がなく、好適である。
また、本実施の形態において、通信装置は、詳細情報のみを出力したが、実施の形態２のように、付加情報と詳細情報を出力しても良い。
【０１０７】
また、本実施の形態において、携帯端末は、アプリケーションを蓄積しても良い。そして、ユーザは、当該アプリケーションを用いて、いつでも詳細情報や他の情報にアクセスできる。また、当該アプリケーションをパーソナルコンピュータにインストールした場合、ユーザは、パーソナルコンピュータのアプリケーションを用いて詳細情報や他の情報にアクセスできる。アプリケーションをパーソナルコンピュータにインストールする方法は、アプリケーションの無線通信による送受信や記録媒体を介した方法等、問わない。
【０１０８】
また、本実施の形態によれば、通信装置は、携帯端末と近距離無線通信装置を接続したものであったが、一体型のものでも良い。かかる場合、情報処理システムは、近距離無線通信手段により情報を配信する情報配信装置と通信装置とサーバ装置を具備する情報処理システムであって、前記情報配信装置は、前記携帯端末で出力される情報である詳細情報を取得するアプリケーションを格納しているアプリ格納部と、エリア情報を格納しているエリア情報格納部と、前記エリア情報と前記アプリケーショを近距離無線通信手段により送信する情報送信部を具備し、前記通信装置は、情報を出力するか否かを判断するための条件である条件情報を格納している条件情報格納部と、前記情報配信装置から、前記エリア情報と前記アプリケーションを近距離無線通信手段により受信する情報受信部と、前記情報受信部が受信したエリア情報または／およびエリア情報を受信した旨を示す情報を、前記条件情報に基づいて出力するか否かを判断する判断部と、前記判断部が出力すると判断した場合に、前記エリア情報または／およびエリア情報を受信した旨を示す情報を出力する情報出力部と、前記判断部が出力すると判断した場合に、詳細情報の出力指示を受け付ける指示受付部と、前記アプリケーションにより、前記サーバ装置に詳細情報の送信の指示をし、前記サーバ装置から詳細情報を受信する詳細情報受信部と、前記付加情報受信部が受信した付加情報を出力する詳細情報出力部を具備し、前記サーバ装置は、１以上の詳細情報を格納している詳細情報格納部と、前記携帯端末からの指示により、前記詳細情報格納部の詳細情報を送信する詳細情報送信部を具備する情報処理システムである。
【０１０９】
また、一体型の通信装置を実現するソフトウェアは、以下のようなプログラムである。コンピュータに、情報配信装置から、エリア情報とアプリケーションを近距離無線通信手段により受信する情報受信ステップと、前記情報受信ステップで受信したエリア情報または／およびエリア情報を受信した旨を示す情報を、格納している条件情報に基づいて出力するか否かを判断する判断ステップと、前記判断ステップで出力すると判断した場合に、前記エリア情報または／およびエリア情報を受信した旨を示す情報を出力する情報出力ステップと、前記判断ステップで出力すると判断した場合に、詳細情報の出力指示を受け付ける指示受付ステップと、前記指示受付ステップで出力指示を受け付けた場合、前記アプリケーションにより、サーバ装置に詳細情報の送信の指示をし、サーバ装置から詳細情報を受信する詳細情報受信ステップと、前記付加情報受信ステップで受信した付加情報を出力する詳細情報出力ステップを実行させるためのプログラムである。
【０１１０】
また、上記各実施の形態において、各処理（各機能）は、単一の装置（システム）によって集中処理されることによって実現されてもよく、あるいは、複数の装置によって分散処理されることによって実現されてもよい。
【０１１１】
なお、上記各実施の形態における上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
また、このプログラムを実行するコンピュータは、単数であってもよく、複数であってもよい。すなわち、集中処理を行ってもよく、あるいは分散処理を行ってもよい。
また、上記各実施の形態において、一の装置に存在する２以上の通信手段（情報送信部など）は、物理的に一の媒体で実現されても良いことは言うまでもない。
【産業上の利用可能性】
【０１１２】
以上のように、本発明にかかる通信装置等は、通信装置を保持して移動しているユーザに対して、予め登録しているエリアであること、またはユーザの嗜好に合致するエリアであることを知らせることができる通信装置等として有用である。
【図面の簡単な説明】
【０１１３】
【図１】実施の形態１における情報処理システムの概念図
【図２】同情報処理システムのブロック図
【図３】同近距離無線通信装置の動作について説明するフローチャート
【図４】同携帯端末の動作について説明するフローチャート
【図５】同情報配信装置が保持している情報の例を示す図
【図６】同条件情報の例を示す図
【図７】同携帯端末の情報の出力例を示す図
【図８】同携帯端末の情報の出力例を示す図
【図９】実施の形態２における情報処理システムのブロック図
【図１０】同近距離無線通信装置の動作について説明するフローチャート
【図１１】同携帯端末の動作について説明するフローチャート
【図１２】同サーバ装置の動作について説明するフローチャート
【図１３】同情報処理システムの概念図
【図１４】同情報配信装置が保持している情報の例を示す図
【図１５】同携帯端末の情報の出力例を示す図
【図１６】同携帯端末の情報の出力例を示す図
【図１７】同携帯端末からサーバ装置に送信する情報の例を示す図
【図１８】同通過回数管理表を示す図
【図１９】同携帯端末の情報の出力例を示す図
【図２０】同詳細情報管理表を示す図
【図２１】実施の形態４における情報処理システムのブロック図
【図２２】同携帯端末の動作について説明するフローチャート
【符号の説明】
【０１１４】
１１、９１、２１１  情報配信装置
１２、９２、２１２  通信装置
９３、９２１  サーバ装置
１２１、９２１、２１２１  携帯端末
１２２、９２２、２１２２  近距離無線通信装置
１１０１  エリア情報格納部
１１０２  付加情報格納部
１１０３、９１０３、２１１０３  情報送信部
９１０１  サーバ識別子格納部
９３０１  詳細情報格納部
９３０２  指示受信部
９３０３  詳細情報送信部
９３０４  情報蓄積部
９３０５  回数クリア部
１２１０１、９２１０１、２１２１０１  指示受付部
１２１０２、９２１０２、２１２１０２  情報受付部
１２１０３、９２１０３、２１２１０３  情報出力部
１２２０１  条件情報格納部
１２２０２、９２２０２、２１２２０２  情報受信部
１２２０３  判断部
１２２０４、９２２０４  情報送付部
２１１０２  アプリ格納部
９２１０４  詳細情報受信部
９２１０５、２１２２０４  指示送信部
【図１】
2005268842.tif 000003
【図２】
2005268842.tif 000004
【図３】
2005268842.tif 000005
【図４】
2005268842.tif 000006
【図５】
2005268842.tif 000007
【図６】
2005268842.tif 000008
【図７】
2005268842.tif 000009
【図８】
2005268842.tif 000010
【図９】
2005268842.tif 000011
【図１０】
2005268842.tif 000012
【図１１】
2005268842.tif 000013
【図１２】
2005268842.tif 000014
【図１３】
2005268842.tif 000015
【図１４】
2005268842.tif 000016
【図１５】
2005268842.tif 000017
【図１６】
2005268842.tif 000018
【図１７】
2005268842.tif 000019
【図１８】
2005268842.tif 000020
【図１９】
2005268842.tif 000021
【図２０】
2005268842.tif 000022
【図２１】
2005268842.tif 000023
【図２２】
2005268842.tif 000024